(57)【要約】【課題】電波で伝送するデジタル放送をＩＰ伝送で再送信する際に、伝送すべき情報量を削減したＩＰ伝送におけるデジタル放送配信システムを提供する。【解決手段】デジタル放送波の受信又は番組コンテンツの再生により得られるＴＳから、ＩＰ伝送では用いない降雨対応放送に関する情報、電波による伝送路特有の情報、再送信後の運用に適さないサービスの情報、他のＴＳを対象とした情報等を、降雨対応放送削除機能１０５、伝送路特有情報削除機能１０７、再送信対象外サービス削除機能１０９、他ＴＳ情報削除機能１１２によって削除し、ＴＳ送出機能１１４によってＩＰネットワーク３００を介して受信側装置４００に送出する。【選択図】図１
2010246016.tif 000002
【特許請求の範囲】
【請求項１】
送出側装置と受信側装置備え、デジタル放送をＩＰネットワークを介してＩＰ伝送するＩＰ伝送におけるデジタル放送配信システムであって、
前記送出側装置は、
デジタル放送波の受信又は番組コンテンツの再生により得られるＴＳ（トランスポートストリーム）を入力とし、
前記ＴＳ中から、降雨対応放送に関する情報を削除する降雨対応放送削除手段と、
前記ＴＳ中から電波による伝送路特有の情報を削除する伝送路特有情報削除手段と、
前記ＴＳ中から再送信対象外のサービスの情報を削除する再送信対象外サービス削除手段と、
前記ＴＳ中から他のＴＳを対象とした情報を削除する他ＴＳ情報削除手段と、
前記降雨対応放送削除手段、伝送路特有情報削除手段、再送信対象外サービス削除手段および他ＴＳ情報削除手段により前記各情報が削除されたＴＳを前記ＩＰネットワークに送出するＴＳ送出手段とを備えたことを特徴とするＩＰ伝送におけるデジタル放送配信システム。
【請求項２】
前記降雨対応放送削除手段は、
前記ＴＳに含まれるＰＭＴ（Ｐｒｏｇｒａｍ  Ｍａｐ  Ｔａｂｌｅ）中に降雨対応放送用ＥＳ（Ｅｌｅｍｅｎｔａｒｙ  Ｓｔｒｅａｍ）であることを示す階層伝送記述子が含まれるか否かを判定し、
前記階層伝送記述子が含まれる場合、該記述子が配置されているＥＳループに記載されるｅｌｅｍｅｎｔａｒｙ＿ＰＩＤをフィルタリング対象ＰＩＤとして第１の記憶手段に記憶し、
前記ＥＳループを削除し、
前記ＰＭＴ中の階層伝送記述子を全て削除し、
前記第１の記憶手段に記憶されている全てのフィルタリング対象ＰＩＤのＴＳパケットを削除することを特徴とする請求項１に記載のＩＰ伝送におけるデジタル放送配信システム。
【請求項３】
前記伝送路特有情報削除手段は、
限定受信方式を変更し、ＥＭＭ（Ｅｎｔｉｔｌｅｍｅｎｔ  Ｍａｎａｇｅｍｅｎｔ  Ｍｅｓｓａｇｅ）の運用を行わない場合にＥＭＭであることを示すｔａｂｌｅ＿ｉｄの情報が設定される第１の設定手段を備え、
前記ＴＳのＰＳＩ／ＳＩ中に衛星分配システム記述子が配置されている場合に該記述子を削除し、
前記ＴＳのＰＳＩ／ＳＩ中にＣＡ＿ＥＭＭ＿ＴＳ記述子が配置されている場合に該記述子を削除し、
前記ＴＳ中に、前記第１の設定手段に設定されたｔａｂｌｅ＿ｉｄと一致するｔａｂｌｅ＿ｉｄのテーブルが配置されている場合、該ＥＭＭを削除することを特徴とする請求項１に記載のＩＰ伝送におけるデジタル放送配信システム。
【請求項４】
前記再送信対象外サービス削除手段は、
削除対象のｓｅｒｖｉｃｅ＿ｉｄ、削除対象のＴＳ＿ｉｄおよび削除対象のｂｒｏａｄｃａｓｔｅｒ＿ｉｄが設定された第２の設定手段と、
ＴＳ中に含まれる全てのｓｅｒｖｉｃｅ＿ｉｄのサービスについてのＰＭＴ及びフィルタリング対象ＰＩＤリストが記憶される第２の記憶手段とを備え、
ＴＳ中のＰＭＴを読み取って、前記第２の記憶手段に記憶されているＰＭＴと比較し、記述内容が異なる場合に前記第２の記憶手段のＰＭＴを前記読み取られたＰＭＴ値に上書きして保存し、
前記第２の記憶手段に保存されている全ＰＭＴを比較し、削除対象のｓｅｒｖｉｃｅ＿ｉｄを対象としたＰＭＴに記載があり、削除対象でないｓｅｒｖｉｃｅ＿ｉｄを対象としたＰＭＴに記載が無いＰＩＤについて、フィルタリング対象ＰＩＤリストとして上書き保存し、
前記ＴＳから、
前記第２の記憶手段に記憶されているフィルタリング対象ＰＩＤリストに記載のあるＰＩＤのＴＳパケット、
前記第２の設定手段に設定された削除対象のｓｅｒｖｉｃｅ＿ｉｄを対象としたＰＭＴ、
ＰＡＴ（Ｐｒｏｇｒａｍ  Ａｓｓｏｃｉａｔｉｏｎ  Ｔａｂｌｅ）中の、前記第２の設定手段に設定された削除対象のｓｅｒｖｉｃｅ＿ｉｄを対象としたプログラムループ、
ＮＩＴ（Ｎｅｔｗｏｒｋ  Ｉｎｆｏｒｍａｔｉｏｎ  Ｔａｂｌｅ）中の、前記第２の設定手段に設定された削除対象のＴＳ＿ｉｄを対象としたＴＳループ、
ＢＩＴ（Ｂｒｏａｄｃａｓｔｅｒ  Ｉｎｆｏｒｍａｔｉｏｎ  Ｔａｂｌｅ）中の、前記第２の設定手段に設定された削除対象のｂｒｏａｄｃａｓｔｅｒ＿ｉｄを対象としたブロードキャスタループ、
前記第２の設定手段に設定された削除対象のＴＳ＿ｉｄを対象としたＳＤＴ、
ＳＤＴ中の、前記第２の設定手段に設定された削除対象のｓｅｒｖｉｃｅ＿ｉｄを対象としたサービスループ、
前記第２の設定手段に設定された削除対象のＴＳ＿ｉｄもしくはｓｅｒｖｉｃｅ＿ｉｄを対象としたＥＩＴ（Ｅｖｅｎｔ  Ｉｎｆｏｒｍａｔｉｏｎ  Ｔａｂｌｅ）、
ＰＳＩ／ＳＩ中の緊急情報記述子の、前記第２の設定手段に設定された削除対象のｓｅｒｖｉｃｅ＿ｉｄを対象としたｓｅｒｖｉｃｅ＿ｉｄループ、
前記緊急情報記述子中にｓｅｒｖｉｃｅ＿ｉｄループがひとつも存在しない場合の緊急情報記述子、
ＰＳＩ／ＳＩ中のＣＡサービス記述子中の、前記第２の設定手段に設定された削除対象のｓｅｒｖｉｃｅ＿ｉｄを対象としたｓｅｒｖｉｃｅ＿ｉｄループ、
前記ＣＡサービス記述子中にｓｅｒｖｉｃｅ＿ｉｄループがひとつも存在しない場合のＣＡサービス記述子、
ＰＳＩ／ＳＩ中のサービスリスト記述子の、前記第２の設定手段に設定された削除対象のｓｅｒｖｉｃｅ＿ｉｄを対象としたｓｅｒｖｉｃｅ＿ｉｄループ、
前記サービスリスト記述子中にｓｅｒｖｉｃｅ＿ｉｄループがひとつも存在しない場合のサービスリスト記述子、
ＰＳＩ／ＳＩ中のイベントグループ記述子の、前記第２の設定手段に設定された削除対象のＴＳ＿ｉｄもしくはｓｅｒｖｉｃｅ＿ｉｄを対象としたｓｅｒｖｉｃｅ＿ｉｄのループ、
前記イベントグループ記述子中にｓｅｒｖｉｃｅ＿ｉｄループがひとつも存在しない場合のイベントグループ記述子、
ＰＳＩ／ＳＩ中の、前記第２の設定手段に設定された削除対象のＴＳ＿ｉｄもしくはｓｅｒｖｉｃｅ＿ｉｄにそれぞれ等しいｔｒａｎｓｐｏｒｔ＿ｓｔｒｅａｍ  ＿ｉｄ、ｓｅｒｖｉｃｅ＿ｉｄがリンク先として設定されているリンク記述子、
およびＰＳＩ／ＳＩ中の、前記第２の設定手段に設定された削除対象のＴＳ＿ｉｄもしくはｓｅｒｖｉｃｅ＿ｉｄにそれぞれ等しいｔｒａｎｓｐｏｒｔ＿ｓｔｒｅａｍ＿ｉｄ、ｓｅｒｖｉｃｅ＿ｉｄがハイパーリンク先として設定されているハイパーリンク記述子、を各々削除することを特徴とする請求項１に記載のＩＰ伝送におけるデジタル放送配信システム。
【請求項５】
前記送出側装置の外部に設けられ、複数の送出側装置の他ＴＳ情報削除手段から受信したＳＩ情報をひとつのＴＳに多重化して前記ＩＰネットワークへ出力するＳＩ専用ＴＳ送出サーバを備え、
前記他ＴＳ情報削除手段は、
他ＴＳのテーブルとしてのｔａｂｌｅ＿ｉｄ及びＳＩ専用ＴＳで出力するテーブルとしてのｔａｂｌｅ＿ｉｄが各々設定された第３の設定手段を備え、
前記ＴＳ中から前記第３の設定手段に設定された他ＴＳのテーブルを削除し、
前記ＴＳ中に、前記第３の設定手段に設定されたＳＩ専用ＴＳで出力するテーブルが存在する場合に、該テーブルを前記ＳＩ専用ＴＳ送出サーバに送出し、
前記受信側装置は、
前記送出側装置から送出されるＴＳを受信する受信手段と、
前記ＳＩ専用ＴＳ送出サーバから送出されるＳＩ専用ＴＳを受信するＳＩ専用ＴＳ受信手段と、
前記受信手段により受信されたＴＳ又は他ＴＳの情報が必要な場合に前記ＳＩ専用ＴＳ受信手段から得たＳＩ専用ＴＳの各情報を処理するＰＳＩ／ＳＩ処理手段とを備えていることを特徴とする請求項１に記載のＩＰ伝送におけるデジタル放送配信システム。
【請求項６】
デジタル放送波の受信又は番組コンテンツの再生により得られるＴＳ（トランスポートストリーム）を入力とし、
前記ＴＳ中から、降雨対応放送に関する情報を削除する降雨対応放送削除ステップを実行する降雨対応放送削除手段と、
前記ＴＳ中から電波による伝送路特有の情報を削除する伝送路特有情報削除ステップを実行する伝送路特有情報削除手段と、
前記ＴＳ中から再送信対象外のサービスの情報を削除する再送信対象外サービス削除ステップを実行する再送信対象外サービス削除手段と、
前記ＴＳ中から他のＴＳを対象とした情報を削除する他ＴＳ情報削除ステップを実行する他ＴＳ情報削除手段と、
前記降雨対応放送削除手段、伝送路特有情報削除手段、再送信対象外サービス削除手段および他ＴＳ情報削除手段により前記各情報が削除されたＴＳを前記ＩＰネットワークに送出するＴＳ送出ステップを実行するＴＳ送出手段とを備えた送出側装置から、デジタル放送をＩＰネットワークを介して受信側装置にＩＰ伝送するＩＰ伝送におけるデジタル放送配信方法であって、
前記降雨対応放送削除ステップは、
前記ＴＳ中に含まれるＰＭＴ（Ｐｒｏｇｒａｍ  Ｍａｐ  Ｔａｂｌｅ）中に降雨対応放送用ＥＳ（Ｅｌｅｍｅｎｔａｒｙ  Ｓｔｒｅａｍ）であることを示す階層伝送記述子が含まれるか否かを判定するステップと、
前記階層伝送記述子が含まれる場合、該記述子が配置されているＥＳループに記載されるｅｌｅｍｅｎｔａｒｙ＿ＰＩＤをフィルタリング対象ＰＩＤとして第１の記憶手段に記憶するステップと、
前記ＥＳループを削除するステップと、
前記ＰＭＴ中の階層伝送記述子を全て削除するステップと、
前記第１の記憶手段に記憶されている全てのフィルタリング対象ＰＩＤのＴＳパケットを削除するステップとを備えたことを特徴とするＩＰ伝送におけるデジタ放送配信方法。
【請求項７】
デジタル放送波の受信又は番組コンテンツの再生により得られるＴＳ（トランスポートストリーム）を入力とし、
前記ＴＳ中から、降雨対応放送に関する情報を削除する降雨対応放送削除ステップを実行する降雨対応放送削除手段と、
前記ＴＳ中から電波による伝送路特有の情報を削除する伝送路特有情報削除ステップを実行する伝送路特有情報削除手段と、
前記ＴＳ中から再送信対象外のサービスの情報を削除する再送信対象外サービス削除ステップを実行する再送信対象外サービス削除手段と、
前記ＴＳ中から他のＴＳを対象とした情報を削除する他ＴＳ情報削除ステップを実行する他ＴＳ情報削除手段と、
前記降雨対応放送削除手段、伝送路特有情報削除手段、再送信対象外サービス削除手段および他ＴＳ情報削除手段により前記各情報が削除されたＴＳを前記ＩＰネットワークに送出するＴＳ送出ステップを実行するＴＳ送出手段とを備えた送出側装置から、デジタル放送をＩＰネットワークを介して受信側装置にＩＰ伝送するＩＰ伝送におけるデジタル放送配信方法であって、
前記伝送路特有情報削除手段は、限定受信方式を変更し、ＥＭＭ（Ｅｎｔｉｔｌｅｍｅｎｔ  Ｍａｎａｇｅｍｅｎｔ  Ｍｅｓｓａｇｅ）の運用を行わない場合にＥＭＭであることを示すｔａｂｌｅ＿ｉｄの情報が設定される第１の設定手段を備え、
前記伝送路特有情報削除ステップは、
前記ＴＳのＰＳＩ／ＳＩ中に衛星分配システム記述子が配置されているか否かを判定するステップと、
前記衛星分配システム記述子が配置されている場合に該記述子を削除するステップと、
前記ＴＳのＰＳＩ／ＳＩ中にＣＡ＿ＥＭＭ＿ＴＳ記述子が配置されているか否かを判定するステップと、
前記ＣＡ＿ＥＭＭ＿ＴＳ記述子が配置されている場合に該記述子を削除するステップと、
前記ＴＳ中のＥＭＭが伝送されるＰＩＤのＴＳパケットを読み取り、前記第１の設定手段に設定されたｔａｂｌｅ＿ｉｄと一致するｔａｂｌｅ＿ｉｄのテーブルが配置されているか否かを判定するステップと、
前記一致するｔａｂｌｅ＿ｉｄのテーブルが配置されている場合、前記ＥＭＭを削除するステップとを備えたことを特徴とするＩＰ伝送におけるデジタル放送配信方法。
【請求項８】
デジタル放送波の受信又は番組コンテンツの再生により得られるＴＳ（トランスポートストリーム）を入力とし、
前記ＴＳ中から、降雨対応放送に関する情報を削除する降雨対応放送削除ステップを実行する降雨対応放送削除手段と、
前記ＴＳ中から電波による伝送路特有の情報を削除する伝送路特有情報削除ステップを実行する伝送路特有情報削除手段と、
前記ＴＳ中から再送信対象外のサービスの情報を削除する再送信対象外サービス削除ステップを実行する再送信対象外サービス削除手段と、
前記ＴＳ中から他のＴＳを対象とした情報を削除する他ＴＳ情報削除ステップを実行する他ＴＳ情報削除手段と、
前記降雨対応放送削除手段、伝送路特有情報削除手段、再送信対象外サービス削除手段および他ＴＳ情報削除手段により前記各情報が削除されたＴＳを前記ＩＰネットワークに送出するＴＳ送出ステップを実行するＴＳ送出手段とを備えた送出側装置から、デジタル放送をＩＰネットワークを介して受信側装置にＩＰ伝送するＩＰ伝送におけるデジタル放送配信方法であって、
前記再送信対象外サービス削除手段は、削除対象のｓｅｒｖｉｃｅ＿ｉｄ、削除対象のＴＳ＿ｉｄおよび削除対象のｂｒｏａｄｃａｓｔｅｒ＿ｉｄが設定された第２の設定手段と、
ＴＳ中に含まれる全てのｓｅｒｖｉｃｅ＿ｉｄのサービスについてのＰＭＴが記憶される第２の記憶手段とを備え、
前記再送信対象外サービス削除ステップは、
ＴＳ中のＰＭＴを読み取って、前記第２の記憶手段に記憶されているＰＭＴと比較し、記述内容が異なる場合に前記第２の記憶手段のＰＭＴを前記読み取られたＰＭＴ値に上書きして保存するステップと、
前記第２の記憶手段に保存されている全ＰＭＴを比較し、削除対象のｓｅｒｖｉｃｅ＿ｉｄを対象としたＰＭＴに記載があり、削除対象でないｓｅｒｖｉｃｅ＿ｉｄを対象としたＰＭＴに記載が無いＰＩＤについて、フィルタリング対象ＰＩＤリストとして上書き保存するステップと、
前記第２の記憶手段に記憶されているフィルタリング対象ＰＩＤリストに記載のあるＰＩＤのＴＳパケットを削除するステップと、
前記ＴＳのＰＭＴ中に、前記第２の設定手段に設定された削除対象のｓｅｒｖｉｃｅ＿ｉｄを対象としたＰＭＴが存在するか否かを判定し、存在する場合に該ＰＭＴを削除するステップと、
ＰＡＴ（Ｐｒｏｇｒａｍ  Ａｓｓｏｃｉａｔｉｏｎ  Ｔａｂｌｅ）中に、前記第２の設定手段に設定された削除対象のｓｅｒｖｉｃｅ＿ｉｄを対象としたプログラムループが存在するか否かを判定し、存在する場合に該プログラムループを削除するステップと、
ＮＩＴ（Ｎｅｔｗｏｒｋ  Ｉｎｆｏｒｍａｔｉｏｎ  Ｔａｂｌｅ）中に、前記第２の設定手段に設定された削除対象のＴＳ＿ｉｄを対象としたＴＳループが存在するか否かを判定し、存在する場合に該ＴＳループを削除するステップと、
ＢＩＴ（Ｂｒｏａｄｃａｓｔｅｒ  Ｉｎｆｏｒｍａｔｉｏｎ  Ｔａｂｌｅ）中に、前記第２の設定手段に設定された削除対象のｂｒｏａｄｃａｓｔｅｒ＿ｉｄを対象としたブロードキャスタループが存在するか否かを判定し、存在する場合に該ブロードキャスタループを削除するステップと、
ＴＳ中に、前記第２の設定手段に設定された削除対象のＴＳ＿ｉｄを対象としたＳＤＴが存在するか否かを判定し、存在する場合に該ＳＤＴを削除するステップと、
ＳＤＴ中に、前記第２の設定手段に設定された削除対象のｓｅｒｖｉｃｅ＿ｉｄを対象としたサービスループが存在するか否かを判定し、存在する場合に該サービスループを削除するステップと、
ＴＳ中に、前記第２の設定手段に設定された削除対象のＴＳ＿ｉｄもしくはｓｅｒｖｉｃｅ＿ｉｄを対象としたＥＩＴ（Ｅｖｅｎｔ  Ｉｎｆｏｒｍａｔｉｏｎ  Ｔａｂｌｅ）が存在するか否かを判定し、存在する場合に該ＥＩＴを削除するステップと、
ＰＳＩ／ＳＩに緊急情報記述子が配置されているか否かを判定し、配置されている場合に、前記第２の設定手段に設定された削除対象のｓｅｒｖｉｃｅ＿ｉｄを対象としたｓｅｒｖｉｃｅ＿ｉｄのループおよび該ｓｅｒｖｉｃｅ＿ｉｄのループが無い緊急情報記述子を削除するステップと、
ＰＳＩ／ＳＩにＣＡサービス記述子が配置されているか否かを判定し、配置されている場合に、前記第２の設定手段に設定された削除対象のｓｅｒｖｉｃｅ＿ｉｄを対象としたｓｅｒｖｉｃｅ＿ｉｄのループおよび該ｓｅｒｖｉｃｅ＿ｉｄのループが無いＣＡサービス記述子を削除するステップと、
ＰＳＩ／ＳＩにサービスリスト記述子が配置されているか否かを判定し、配置されている場合に、前記第２の設定手段に設定された削除対象のｓｅｒｖｉｃｅ＿ｉｄを対象としたｓｅｒｖｉｃｅ＿ｉｄのループおよび該ｓｅｒｖｉｃｅ＿ｉｄのループが無いサービスリスト記述子を削除するステップと、
ＰＳＩ／ＳＩにイベントグループ記述子が配置されているか否かを判定し、配置されている場合に、前記第２の設定手段に設定された削除対象のｓｅｒｖｉｃｅ＿ｉｄもしくはＴＳ＿ｉｄを対象としたｓｅｒｖｉｃｅ＿ｉｄのループおよび該ｓｅｒｖｉｃｅ＿ｉｄのループが無いイベントグループ記述子を削除するステップと、
ＰＳＩ／ＳＩに、前記第２の設定手段に設定された削除対象のＴＳ＿ｉｄもしくはｓｅｒｖｉｃｅ＿ｉｄにそれぞれ等しいｔｒａｎｓｐｏｒｔ＿ｓｔｒｅａｍ  ＿ｉｄ、ｓｅｒｖｉｃｅ＿ｉｄがリンク先として設定されているリンク記述子が配置されているか否かを判定し、配置されている場合に該リンク記述子を削除するステップと、
ＰＳＩ／ＳＩに、前記第２の設定手段に設定された削除対象のＴＳ＿ｉｄもしくはｓｅｒｖｉｃｅ＿ｉｄにそれぞれ等しいｔｒａｎｓｐｏｒｔ＿ｓｔｒｅａｍ  ＿ｉｄ、ｓｅｒｖｉｃｅ＿ｉｄがハイパーリンク先として設定されているハイパーリンク記述子が配置されているか否かを判定し、配置されている場合に該ハイパーリンク記述子を削除するステップと、
を備えたことを特徴とするＩＰ伝送におけるデジタル放送配信方法。
【請求項９】
デジタル放送波の受信又は番組コンテンツの再生により得られるＴＳ（トランスポートストリーム）を入力とし、
前記ＴＳ中から、降雨対応放送に関する情報を削除する降雨対応放送削除ステップを実行する降雨対応放送削除手段と、
前記ＴＳ中から電波による伝送路特有の情報を削除する伝送路特有情報削除ステップを実行する伝送路特有情報削除手段と、
前記ＴＳ中から再送信対象外のサービスの情報を削除する再送信対象外サービス削除ステップを実行する再送信対象外サービス削除手段と、
前記ＴＳ中から他のＴＳを対象とした情報を削除する他ＴＳ情報削除ステップを実行する他ＴＳ情報削除手段と、
前記降雨対応放送削除手段、伝送路特有情報削除手段、再送信対象外サービス削除手段および他ＴＳ情報削除手段により前記各情報が削除されたＴＳを前記ＩＰネットワークに送出するＴＳ送出ステップを実行するＴＳ送出手段とを備えた送出側装置と、
前記送出側装置の外部に設けられ、複数の送出側装置の他ＴＳ情報削除手段から受信したＳＩ情報をひとつのＴＳに多重化して前記ＩＰネットワークへ出力するＳＩ専用ＴＳ送出サーバとから、デジタル放送をＩＰネットワークを介して受信側装置にＩＰ伝送するＩＰ伝送におけるデジタル放送配信方法であって、
前記他ＴＳ情報削除手段は、他ＴＳのテーブルとしてのｔａｂｌｅ＿ｉｄ及びＳＩ専用ＴＳで出力するテーブルとしてのｔａｂｌｅ＿ｉｄが各々設定された第３の設定手段を備え、
前記他ＴＳ情報削除ステップは、
前記ＴＳ中に、前記第３の設定手段に設定された他ＴＳのテーブルが配置されているか否かを判定し、配置されている場合に該他ＴＳのテーブルを削除するステップ、
前記ＴＳ中に、前記第３の設定手段に設定されたＳＩ専用ＴＳで出力するテーブルが配置されているか否かを判定し、配置されている場合に該テーブルを前記ＳＩ専用ＴＳ送出サーバに送出するステップと、
前記受信側装置の受信手段が、前記送出側装置から送出されるＴＳを受信する受信ステップと、
前記受信側装置のＳＩ専用ＴＳ受信手段が、前記ＳＩ専用ＴＳ送出サーバから送出されるＳＩ専用ＴＳを受信するＳＩ専用ＴＳ受信ステップと、
前記受信側装置のＰＳＩ／ＳＩ処理手段が、前記受信手段により受信されたＴＳ又は他ＴＳの情報が必要な場合に前記ＳＩ専用ＴＳ受信手段から得たＳＩ専用ＴＳの各情報を処理するＰＳＩ／ＳＩ処理ステップとを備えていることを特徴とするＩＰ伝送におけるデジタル放送配信方法。
【請求項１０】
コンピュータを請求項１ないし５のいずれか１項に記載の各手段として機能させるＩＰ伝送におけるデジタル放送配信プログラム。
【発明の詳細な説明】
【技術分野】
【０００１】
本発明は、映像、音声、字幕、データ放送、ＰＳＩ（Ｐｒｏｇｒａｍ  Ｓｐｅｃｉｆｉｃ  Ｉｎｆｏｒｍａｔｉｏｎ）／ＳＩ（Ｓｅｒｖｃｉｅ  Ｉｎｆｏｒｍａｔｉｏｎ）などから構成されるＴＳ（Ｔｒａｎｓｐｏｒｔ  Ｓｔｒｅａｍ：ＭＰＥＧ−２  Ｓｙｓｔｅｍｓに定義される多重信号形式）を電波で伝送するデジタル放送を再送信する際に、中継の段階で放送からＩＰへと伝送方式を変更する場合において、伝送方式の違いや送信するサービス（チャンネル）の違いにより不要となる情報を削除することで伝送量を削減し、伝送帯域の有効利用を可能とし、ネットワークの運用コストを削減するための方法に関するものである。
【背景技術】
【０００２】
多くのデジタル放送では、ＴＳを電波で伝送する運用がなされており、地上デジタルテレビジョン放送ではＡＲＩＢ  ＴＲ−Ｂ１４、ＢＳデジタル放送ではＡＲＩＢ  ＴＲ−Ｂ１５で定められる運用規定に基づき運用が行われている。これらの運用規定は、電波での伝送を前提としており、電波での伝送特有の運用についても規定されている。
【０００３】
たとえば、各ＴＳが伝送される電波の周波数等の伝送路に関する物理的条件がＰＳＩ／ＳＩ上にて伝送される（非特許文献１参照）。他にも、電波は降雨等に伴う信号劣化が起こりうるため、信号劣化が起きた際にも最低限の視聴が可能なように、降雨対応放送（信号劣化時用の映像・音声）を伝送する運用が可能である（非特許文献１参照）。また、電波での伝送は片方向での伝送となるため、ＩＰでの通信のように双方向性のあることを前提としないプロモーションサービスなどが運用されることが想定される。
【０００４】
なお、このようなデジタル放送をＩＰ伝送にて再送信する場合、伝送帯域の有効利用のために、より圧縮効率の高い映像符号化方式へと映像をトランスコードして伝送するなどの工夫がなされている（非特許文献２参照）。
【０００５】
また、本発明で利用するＰＳＩ／ＳＩの各テーブル、記述子については、非特許文献３に記載されている。
【先行技術文献】
【非特許文献】
【０００６】
【非特許文献１】「ＢＳ／広帯域ＣＳデジタル放送運用規定」、ＡＲＩＢ  ＴＲ−Ｂ１５  ４．４版  平成２０年６月６日、第四編  ３１．１．３．２  衛星分配システム記述子、ｐｐ．４−２１０〜ｐｐ．４−２１１、第四編  ２２  階層変調時のＰＳＩ／ＳＩの運用、ｐｐ．４−１３３〜ｐｐ．４−１３６
【非特許文献２】ＩＰＴＶＦＪ  ＳＴＤ−０００５  ＩＰＴＶ規定  地上デジタルテレビジョン放送  ＩＰ再送信運用規定  １．１版  ２００８年１１月２８日  第七編  ６．１  通常ＴＳの伝送方法  ｐｐ．７−２１
【非特許文献３】「デジタル放送に使用する番組配列情報」、ＡＲＩＢ  ＳＴＤ−Ｂ１０  ４．６版  平成２０年６月６日、第２部  ５．２  テーブルの定義、ｐｐ．６９〜ｐｐ．９３、第２部  ６．２  記述子の符号化ｐｐ．９８〜ｐｐ．１６９
【発明の概要】
【発明が解決しようとする課題】
【０００７】
しかしながら、ＢＳデジタル放送のように広帯域な伝送路で配信される、高品質な（情報量の大きい）映像を再送信する場合のように、更なる情報量の圧縮が望まれる際に、電波での伝送にあわせた運用がなされているＴＳをそのまま伝送すると、ＩＰでの放送受信時には利用できない情報まで伝送することとなってしまい、伝送効率が悪い。
【０００８】
本発明は上記課題を解決するものであり、その目的は、電波で伝送するデジタル放送をＩＰ伝送で再送信する際に、伝送すべき情報量を削減したＩＰ伝送におけるデジタル放送配信システム、方法、プログラムを提供することにある。
【課題を解決するための手段】
【０００９】
本発明は、映像、音声、字幕、データ放送、ＰＳＩ／ＳＩなどから構成されるＴＳを電波で伝送するデジタル放送をＩＰ伝送にて再送信する際に、中継の段階で元の放送信号中の電波による伝送特有の情報を削除する。なお、本発明でのＰＳＩ／ＳＩとは非特許文献３にて規定される、ＰＡＴ（Ｐｒｏｇｒａｍ  Ａｓｓｏｃｉａｔｉｏｎ  Ｔａｂｌｅ）、ＣＡＴ（Ｃｏｎｄｉｔｉｏｎａｌ  Ａｃｃｅｓｓ  Ｔａｂｌｅ）、ＰＭＴ（Ｐｒｏｇｒａｍ  Ｍａｐ  Ｔａｂｌｅ）、ＮＩＴ（Ｎｅｔｗｏｒｋ  Ｉｎｆｏｒｍａｔｉｏｎ  Ｔａｂｌｅ）、ＳＤＴ（Ｓｅｒｖｉｃｅ  Ｄｅｓｃｒｉｐｔｉｏｎ  Ｔａｂｌｅ）、ＥＩＴ（Ｅｖｅｎｔ  Ｉｎｆｏｒｍａｔｉｏｎ  Ｔａｂｌｅ）、ＢＩＴ（Ｂｒｏａｄｃａｓｔｅｒ  Ｉｎｆｏｒｍａｔｉｏｎ  Ｔａｂｌｅ）を指す。
【００１０】
本発明で利用するＰＳＩ／ＳＩの各テーブルのＰＩＤ及びｔａｂｌｅ＿ｉｄの割り当てを図１２に、ＰＡＴのデータ構造を図１３に、ＣＡＴのデータ構造を図１４に、ＰＭＴのデータ構造を図１５に、ＮＩＴのデータ構造を図１６に、ＳＤＴのデータ構造を図１７に、ＥＩＴのデータ構造を図１８に、ＢＩＴのデータ構造を図１９に、それぞれ示す。
【００１１】
まず、ＩＰ伝送では電波のような降雨等に伴う信号劣化が発生せず、降雨対応放送を利用する必要が無いため、本発明では降雨対応放送に関する情報を削除する。ＰＭＴ中の階層伝送記述子の情報を参照し、ｑｕａｌｉｔｙ＿ｌｅｖｅｌが低階層で伝送されている値を示しており、かつｒｅｆｅｒｅｎｃｅ＿ＰＩＤが設定されているＥＳ（Ｅｌｅｍｅｎｔａｒｙ  Ｓｔｒｅａｍ）を削除し、さらに階層伝送記述子自体も削除する。本発明で参照する階層伝送記述子のデータ構造を図２０に示す。
【００１２】
次に、ＰＳＩ／ＳＩ中から電波による伝送路特有の情報を削除する。また、中継の際に限定受信方式を変更し、ＥＭＭ（Ｅｎｔｉｔｌｅｍｅｎｔ  Ｍａｎａｇｅｍｅｎｔ  Ｍｅｓｓａｇｅ）の運用を行わない場合、ＥＭＭを伝送するＴＳパケットについても削除する。
【００１３】
さらに、電波による伝送を前提として運用されているプロモーションサービス等、再送信後の運用に適さないサービスを削除し、それに合わせてＰＳＩ／ＳＩ中の削除対象サービスを対象とした情報の削除を行なう。サービス削除に伴い本発明で編集を行う情報について、ＢＳデジタル放送のＩＰ再送信における適用例を図２１に示す。
【００１４】
最後に、他のＴＳの情報についても各ＴＳにて伝送する場合、各ＴＳ間で情報が重複し冗長となるため、全てのＴＳのＳＩをひとつのＳＩ専用ＴＳとしてまとめて伝送し、各ＴＳから他のＴＳを対象とした情報の削除を行なう。
【００１５】
本発明の請求項１に記載のＩＰ伝送におけるデジタル放送配信システムは、送出側装置と受信側装置備え、デジタル放送をＩＰネットワークを介してＩＰ伝送するＩＰ伝送におけるデジタル放送配信システムであって、
前記送出側装置は、
デジタル放送波の受信又は番組コンテンツの再生により得られるＴＳ（トランスポートストリーム）を入力とし、
前記ＴＳ中から、降雨対応放送に関する情報を削除する降雨対応放送削除手段と、
前記ＴＳ中から電波による伝送路特有の情報を削除する伝送路特有情報削除手段と、
前記ＴＳ中から再送信対象外のサービスの情報を削除する再送信対象外サービス削除手段と、
前記ＴＳ中から他のＴＳを対象とした情報を削除する他ＴＳ情報削除手段と、
前記降雨対応放送削除手段、伝送路特有情報削除手段、再送信対象外サービス削除手段および他ＴＳ情報削除手段により前記各情報が削除されたＴＳを前記ＩＰネットワークに送出するＴＳ送出手段とを備えたことを特徴としている。
【発明の効果】
【００１６】
（１）請求項１〜１０に記載の発明によれば、電波で伝送するデジタル放送を再送信する際に、中継の段階で放送からＩＰへと伝送方式を変更する場合において、伝送すべき情報量を削減することで、伝送帯域の有効利用が可能となる。
（２）請求項５、９に記載の発明によれば、各ＴＳから他のＴＳを対象とした情報を削除できるとともに、他ＴＳの情報が必要な場合であっても対処することができる。
【図面の簡単な説明】
【００１７】
【図１】本発明の実施形態例の機能ブロック図。
【図２】本発明の降雨対応放送削除機能での処理を示すフローチャート。
【図３】本発明の伝送路特有情報削除機能での処理を示すフローチャート。
【図４】本発明の再送信対象外サービス削除機能での処理を示すフローチャート。
【図５】本発明の再送信対象外サービス削除機能での処理の続き１を示すフローチャート。
【図６】本発明の再送信対象外サービス削除機能での処理の続き２を示すフローチャート。
【図７】本発明の再送信対象外サービス削除機能での処理の続き３を示すフローチャート。
【図８】本発明の他ＴＳ情報削除機能での処理を示すフローチャート。
【図９】本発明の実施例１のシステム構成図。
【図１０】本発明の実施例２のシステム構成図。
【図１１】本発明で利用するｔａｂｌｅ＿ｉｄ変換規則例を示す説明図。
【図１２】本発明で利用するＰＳＩ／ＳＩのＰＩＤ及びｔａｂｌｅ＿ｉｄの割り当てを示す説明図。
【図１３】本発明で利用するＰＡＴのデータ構造を示す説明図。
【図１４】本発明で利用するＣＡＴのデータ構造を示す説明図。
【図１５】本発明で利用するＰＭＴのデータ構造を示す説明図。
【図１６】本発明で利用するＮＩＴのデータ構造を示す説明図。
【図１７】本発明で利用するＳＤＴのデータ構造を示す説明図。
【図１８】本発明で利用するＥＩＴのデータ構造を示す説明図。
【図１９】本発明で利用するＢＩＴのデータ構造を示す説明図。
【図２０】本発明で利用する階層伝送記述子のデータ構造を示す説明図。
【図２１】本発明における再送信対象外サービス削除機能の適用例を示す説明図。
【図２２】本発明で利用する衛星分配システム記述子のデータ構造を示す説明図。
【図２３】本発明で利用するＣＡ＿ＥＭＭ＿ＴＳ記述子のデータ構造を示す説明図。
【図２４】本発明で利用する限定受信方式記述子のデータ構造を示す説明図。
【図２５】本発明で利用する緊急情報記述子のデータ構造を示す説明図。
【図２６】本発明で利用するＣＡサービス記述子のデータ構造を示す説明図。
【図２７】本発明で利用するサービスリスト記述子のデータ構造を示す説明図。
【図２８】本発明で利用するイベントグループ記述子のデータ構造を示す説明図。
【図２９】本発明で利用するリンク記述子のデータ構造を示す説明図。
【図３０】本発明で利用するハイパーリンク記述子のデータ構造を示す説明図。
【図３１】本発明で利用するハイパーリンク記述子のデータ構造の続き１を示す説明図。
【図３２】本発明で利用するハイパーリンク記述子のデータ構造の続き２を示す説明図。
【図３３】本発明で利用するハイパーリンク記述子のデータ構造の続き３を示す説明図。
【図３４】本発明で利用するハイパーリンク記述子のデータ構造の続き４を示す説明図。
【発明を実施するための形態】
【００１８】
以下、図面を参照しながら本発明の実施の形態を説明するが、本発明は下記の実施形態例に限定されるものではない。
【００１９】
図１に、本実施形態例のＩＰ伝送におけるデジタル放送配信システム全体の機能ブロック図を示す。図１において、１００は送出側装置、２００は送出側装置１００の外部に設けられたＳＩ専用ＴＳ送出サーバ、３００はＩＰネットワーク、４００は受信側装置である。
【００２０】
送出側装置１００内の１０１は番組コンテンツであり、１０２は番組コンテンツ１０１を再生する再生手段の再生機能を示している。１０３は放送波を受信するアンテナであり、１０４はアンテナ１０３で受信された放送波をデジタル信号に変換するチューナーである。
【００２１】
１０５は、再生機能１０２又はチューナー１０４から入力されるＴＳに含まれるＰＭＴ（Ｐｒｏｇｒａｍ  Ｍａｐ  Ｔａｂｌｅ）中に降雨対応放送用ＥＳ（Ｅｌｅｍｅｎｔａｒｙ  Ｓｔｒｅａｍ）であることを示す階層伝送記述子が含まれるか否かを判定し、前記階層伝送記述子が含まれる場合、該記述子が配置されているＥＳループに記載されるｅｌｅｍｅｎｔａｒｙ＿ＰＩＤをフィルタリング対象ＰＩＤとして第１の記憶手段としての記憶部１０６に記憶し、ＥＳループ、ＰＭＴ中の階層伝送記述子、前記記憶部１０６に記憶されている全てのフィルタリング対象ＰＩＤのＴＳパケットを削除する、降雨対応放送削除手段を行なう降雨対応放送削除機能を有している。
【００２２】
１０７は、前記ＴＳのＰＳＩ／ＳＩ中に衛星分配システム記述子が配置されている場合に該記述子を削除し、前記ＴＳのＰＳＩ／ＳＩ中にＣＡ＿ＥＭＭ＿ＴＳ記述子が配置されている場合に該記述子を削除し、前記ＴＳ中のＥＭＭが伝送されるＰＩＤのＴＳパケットを読み取り、第１の設定手段の設定値１０８に設定されたｔａｂｌｅ＿ｉｄと一致するｔａｂｌｅ＿ｉｄのテーブルが配置されている場合、該ＥＭＭを削除する伝送路特有情報削除手段を行なう伝送路特有情報削除機能を示している。
【００２３】
前記設定値１０８は、限定受信方式を変更し、ＥＭＭ（Ｅｎｔｉｔｌｅｍｅｎｔ  Ｍａｎａｇｅｍｅｎｔ  Ｍｅｓｓａｇｅ）の運用を行わない場合にＥＭＭであることを示すｔａｂｌｅ＿ｉｄの情報が設定される。
【００２４】
１０９は、削除対象のｓｅｒｖｉｃｅ＿ｉｄ、削除対象のＴＳ＿ｉｄおよび削除対象のｂｒｏａｄｃａｓｔｅｒ＿ｉｄが設定された第２の設定手段（設定値１１０）と、ＴＳ中に含まれる全てのｓｅｒｖｉｃｅ＿ｉｄのサービスについてのＰＭＴが記憶される第２の記憶手段（記憶部１１１）とを備え、伝送路特有情報削除機能１０７から入力されるＴＳから、再送信対象外のサービス及びサービスを対象としたＰＳＩ／ＳＩの情報を削除する再送信対象外サービス削除手段を行う再送信対象外サービス削除機能を示している。
【００２５】
１１２は、他ＴＳのテーブルとしてのｔａｂｌｅ＿ｉｄ及びＳＩ専用ＴＳで出力するテーブルとしてのｔａｂｌｅ＿ｉｄが各々設定された第３の設定手段（設定値１１３）を備え、再送信対象外サービス削除機能１０９から入力されるＴＳから、前記設定値１１３に設定された他ＴＳのテーブルを削除し、前記ＴＳ中のＰＳＩ／ＳＩに、設定値１１３に設定されたＳＩ専用ＴＳで出力するテーブルが存在する場合に、該テーブルを前記ＳＩ専用ＴＳ送出サーバ２００に送出する他ＴＳ情報削除手段を行う他ＴＳ情報削除機能を示している。
【００２６】
１１４は、他ＴＳ情報削除機能１１２から入力されるＴＳをＩＰネットワーク３００へ送出するＴＳ送出手段を行なうＴＳ送出機能を示している。
【００２７】
送出側装置１００の外部に設けられたＳＩ専用ＴＳ送出サーバ２００は、複数の送出側装置１００の他ＴＳ情報削除機能１１２から受信したＳＩ情報をひとつのＴＳに多重化してＩＰネットワーク３００へ出力する。
【００２８】
このＳＩ専用ＴＳ送出サーバ２００の設定手段の設定値２０１には、自ネットワーク用及び自ＴＳ用の（ａｃｔｕａｌテーブルの）ｔａｂｌｅ＿ｉｄから他ネットワーク及び他ＴＳ用の（ｏｔｈｅｒテーブルの）ｔａｂｌｅ＿ｉｄに変換するためのｔａｂｌｅ＿ｉｄ変換規則が設定されている。
【００２９】
受信側装置４００内の４０１は、前記ＩＰネットワーク３００を介して送信されたＴＳを受信する受信手段を行なう受信機能を示している。
【００３０】
４０５は、ＳＩ専用ＴＳ送出サーバ２００からＩＰネットワーク３００を介して送られたＳＩ専用ＴＳを受信するＳＩ専用ＴＳ受信手段を行なうＳＩ専用ＴＳ受信機能を示している。
【００３１】
４０２は、前記受信機能４０１により受信されたＴＳ又は他ＴＳの情報が必要な場合に前記ＳＩ専用ＴＳ受信機能４０５から得たＳＩ専用ＴＳの各情報を処理するＰＳＩ／ＳＩ処理手段を行なうＰＳＩ／ＳＩ処理機能を示している。
【００３２】
４０３は、ＰＳＩ／ＳＩ処理機能４０２より受信したＴＳを用いて映像再生する再生手段を行なう再生機能を示している。
【００３３】
４０４は、ＰＳＩ／ＳＩ処理機能４０２より受信した情報に基づいて番組表を生成し、画面表示する番組表表示手段を行なう番組表表示機能を示している。
【００３４】
次に送出側装置１００の機能ブロック毎の処理フローを説明する。  
【００３５】
再生機能１０２は番組コンテンツ１０１を再生し、降雨対応放送削除機能１０５へＴＳを出力する。または、アンテナ１０３は放送波を受信し、チューナー１０４に放送波を出力し、チューナー１０４は入力された放送波をデジタル信号へ変換してＴＳとして降雨対応放送削除機能１０５へ出力する。
【００３６】
降雨対応放送削除機能１０５では、入力されたＴＳに含まれるＰＭＴのＥＳループ中に階層伝送記述子が含まれる場合に、階層伝送記述子の削除を行なう。さらに、階層伝送記述子が降雨対応放送用ＥＳであることを示す（階層伝送記述子中のｑｕａｌｉｔｙ＿ｌｅｖｅｌが低階層で伝送されている値（’０’）を示しており、かつｒｅｆｅｒｅｎｃｅ＿ＰＩＤが設定されている（≡０ｘ１ＦＦＦ”が設定されていない））場合に、当該記述子が配置されたＥＳループに記載されるｅｌｅｍｅｎｔａｒｙ＿ＰＩＤをフィルタリング対象ＰＩＤとして記憶部１０６に記憶するとともに、当該ＥＳループの削除を行なう。また、記憶部１０６に記憶されたフィルタリング対象ＰＩＤが存在した場合には、当該ＰＩＤにて伝送されるＴＳパケットの削除を行なう。そして、伝送路特有情報削除機能１０７にＴＳを出力する。
【００３７】
なお、ＰＭＴ及びＰＭＴ中の記述子の編集を行なった場合にはそのＰＭＴのＣＲＣ（Ｃｙｃｌｉｃ  Ｒｅｄｕｎｄａｎｃｙ  Ｃｈｅｃｋ）誤り検出の再計算を行い、当該ＰＭＴ中のＣＲＣ＿３２に上書きする。
【００３８】
降雨対応放送削除機能１０５の処理フロー例を図２とともに説明する。尚、以下で説明する図２〜図８のフローチャートにおいて、「Ｓ」は各処理のステップを示すものとする。
【００３９】
Ｓ４０１：再生機能１０２もしくはチューナー１０４からＴＳの入力を受け、Ｓ４０２へ進む。
【００４０】
Ｓ４０２：Ｓ４０１にて入力されたＴＳ中のＰＭＴ（図１５）を読み取り、ＰＭＴ中のいずれかのＥＳループに降雨対応放送用ＥＳであることを示す（ｑｕａｌｉｔｙ＿ｌｅｖｅｌが低階層で伝送されている値（‘０’）を示しており、かつｒｅｆｅｒｅｎｃｅ＿ＰＩＤが設定されている（“０ｘ１ＦＦＦ”が設定されていない））階層伝送記述子（図２０）が配置されていることを検知した場合にはＳ４０３へ、そうでないことを検知した場合にはＳ４０５へ進む。
【００４１】
Ｓ４０３：Ｓ４０２にて検知されたＰＭＴ中の、降雨対応放送用ＥＳであることを示す階層伝送記述子が配置されているＥＳループ中のｅｌｅｍｅｎｔａｒｙ＿ＰＩＤを、フィルタリング対象ＰＩＤとしてＰＭＴ中のｐｒｏｇｒａｍ＿ｎｕｍｂｅｒ（ｓｅｒｖｉｃｅ＿ｉｄ）（図１５）と共に記憶部１０６に記憶し、Ｓ４０４へ進む。
【００４２】
Ｓ４０４：Ｓ４０２にて検知されたＰＭＴ中の、降雨対応放送用ＥＳであることを示す階層伝送記述子が配置されているＥＳループを削除し、Ｓ４０６へ進む。
【００４３】
Ｓ４０５：Ｓ４０２にて検知されたＰＭＴに関連するフィルタリング対象ＰＩＤは存在しないものとして、記憶部１０６よりＰＭＴ中のｐｒｏｇｒａｍ＿ｎｕｍｂｅｒ（ｓｅｒｖｉｃｅ＿ｉｄ）と共に記憶されているフィルタリング対象ＰＩＤを削除し、Ｓ４０６へ進む。
【００４４】
Ｓ４０６：Ｓ４０２にて検知されたＰＭＴ中の全てのＥＳループより階層伝送記述子を削除し、Ｓ４０７へ進む。
【００４５】
Ｓ４０７：Ｓ４０１にて入力されたＴＳから記憶部１０６に記憶されている全てのフィルタリング対象ＰＩＤのＴＳパケットを削除し、Ｓ４０８へ進む。
【００４６】
Ｓ４０８：伝送路特有情報削除機能１０７へＴＳを出力する。
【００４７】
伝送路特有情報削除機能１０７では、降雨対応放送削除機能１０５から入力されるＴＳのＰＳＩ／ＳＩ中に衛星分配システム記述子が配置されている場合、衛星分配システム記述子の削除を行なう。本発明で参照する衛星分配システム記述子のデータ構造を図２２に示す。また、ＩＰ再送信時に限定受信方式を変更し、ＥＭＭの運用を行わない場合は、設定値１０８に事前設定されたＥＭＭであることを示すｔａｂｌｅ＿ｉｄと一致するｔａｂｌｅ＿ｉｄのテーブルを削除すると同時に、ＰＳＩ／ＳＩ中にＣＡ＿ＥＭＭ＿ＴＳ記述子が配置されている場合、ＣＡ＿ＥＭＭ＿ＴＳ記述子の削除を行い、再送信対象外サービス削除機能１０９にＴＳを出力する。本発明で参照するＣＡ＿ＥＭＭ＿ＴＳ記述子のデータ構造を図２３に示す。
【００４８】
なお、全てのＰＳＩ／ＳＩ及びＰＳＩ／ＳＩ中の記述子の編集を行なった場合にはそのＰＳＩ／ＳＩのＣＲＣ誤り検出の再計算を行い、当該ＰＳＩ／ＳＩ中のＣＲＣ＿３２に上書きする。
【００４９】
伝送路特有情報削除機能１０７の処理フロー例を図３とともに説明する。  
【００５０】
Ｓ５０１：降雨対応放送削除機能１０５からＴＳの入力を受け、Ｓ５０２へ進む。
【００５１】
Ｓ５０２：Ｓ５０１にて入力されたＴＳ中の全てのＰＳＩ／ＳＩを読み取り、それぞれの記述子ループに衛星分配システム記述子が配置されていることを検知した場合にはＳ５０３へ、そうでない場合にはＳ５０４へ進む。
【００５２】
Ｓ５０３：Ｓ５０２にて検知された記述子ループより衛星分配システム記述子を削除し、Ｓ５０４へ進む。
【００５３】
Ｓ５０４：Ｓ５０１にて入力されたＴＳ中の全てのＰＳＩ／ＳＩを読み取り、それぞれの記述子ループにＣＡ＿ＥＭＭ＿ＴＳ記述子が配置されていることを検知した場合にはＳ５０５へ、そうでない場合にはＳ５０６へ進む。
【００５４】
Ｓ５０５：Ｓ５０４にて検知された記述子ループよりＣＡ＿ＥＭＭ＿ＴＳ記述子を削除し、Ｓ５０６へ進む。
【００５５】
Ｓ５０６：Ｓ５０１にて入力されたＴＳ中に、設定値１０８に設定されたｔａｂｌｅ＿ｉｄと一致するｔａｂｌｅ＿ｉｄのテーブルが配置されていることを検知した場合にはＳ５０７へ、そうでない場合にはＳ５０８へ進む。
【００５６】
Ｓ５０７：Ｓ５０６にて検知されたｔａｂｌｅ＿ｉｄのテーブル（ＥＭＭ）を削除し、Ｓ５０８へ進む。
【００５７】
Ｓ５０８：再送信対象外サービス削除機能１０９へＴＳを出力する。
【００５８】
再送信対象外サービス削除機能１０９では、電波での運用に合わせたプロモーションサービス等の一部のサービスを再送信しない場合に、再送信対象外のサービス及び再送信対象外のサービスを対象としたＰＳＩ／ＳＩの情報を削除するため、事前に設定値１１０に設定された削除対象（再送信対象外）のｓｅｒｖｉｃｅ＿ｉｄ、ＴＳ＿ｉｄ（ｔｒａｎｓｐｏｒｔ＿ｓｔｒｅａｍ＿ｉｄ）、ｂｒｏａｄｃａｓｔｅｒ＿ｉｄを対象とした情報について、伝送路特有情報削除機能１０７から入力されるＴＳ中より削除を行なう。
【００５９】
なお、記憶部１１１には、事前にＴＳ中に含まれる全てのｓｅｒｖｉｃｅ＿ｉｄ（ｐｒｏｇｒａｍ＿ｎｕｍｂｅｒ）のサービスについてのＰＭＴ（ＰＡＴ中のプログラムループにて参照される全てのＰＭＴ）を設定しておく。設定される値は、手動で静的に入力する場合と、入力されるＴＳ中のＰＭＴを事前に抽出し、設定する場合がある。（なお、入力されるＴＳ中のＰＭＴを事前に抽出して記憶部１１１に設定する場合、再送信対象外サービス削除機能１０９が、入力されるＴＳ中のＰＭＴを事前に抽出して記憶部１１１に設定する処理を実施しても良い。）
具体的な削除処理としては、図１３に示すＰＡＴ中のプログラムループのｐｒｏｇｒａｍ＿ｎｕｍｂｅｒが削除対象のｓｅｒｖｉｃｅ＿ｉｄと等しい値となっている場合は当該ループを削除すると同時に、当該プログラムループ中のｐｒｏｇｒａｍ＿ｍａｐ＿ＰＩＤにて伝送される削除対象ｓｅｒｖｉｃｅ＿ｉｄを対象としたＰＭＴを削除する。加えて、図１５に示す、削除されるＰＭＴのＰＣＲ＿ＰＩＤ、ＥＳループ中のｅｌｅｍｅｎｔａｒｙ＿ＰＩＤ及び図２４に示す限定受信方式記述子中のＣＡ＿ＰＩＤで示されるＰＩＤのうち、記憶部１１１に設定された同一ＴＳ中の他の削除対象で無いｓｅｒｖｉｃｅ＿ｉｄを対象としたＰＭＴに記載が無いものについては、記憶部１１１にフィルタリング対象ＰＩＤリストとして保持する。記憶部１１１にフィルタリング対象ＰＩＤリストとして保持されているＰＩＤのＴＳパケットについては、削除する。
【００６０】
また、図１６に示すＮＩＴ中の削除対象のＴＳ＿ｉｄを対象としたＴＳループ及び、図１９に示すＢＩＴ中の削除対象のｂｒｏａｄｃａｓｔｅｒ＿ｉｄを対象としたブロードキャスタループ、図１７に示す削除対象のＴＳ＿ｉｄを対象としたＳＤＴ、ＳＤＴ中の削除対象のｓｅｒｖｉｃｅ＿ｉｄを対象としたサービスループ、図１８に示す削除対象のＴＳ＿ｉｄ及びｓｅｒｖｉｃｅ＿ｉｄを対象としたＥＩＴを、それぞれ削除する。加えて、ＰＳＩ／ＳＩ中に図２５に示す緊急情報記述子及び図２６に示すＣＡサービス記述子、図２７に示すサービスリスト記述子、図２８に示すイベントグループ記述子がそれぞれ配置されている場合、削除対象のｓｅｒｖｉｃｅ＿ｉｄを対象としているｓｅｒｖｉｃｅ＿ｉｄループを削除する。また、図２８に示すイベントグループ記述子の場合は削除対象のＴＳ＿ｉｄを対象としているｓｅｒｖｉｃｅ＿ｉｄループについても削除する。この際に、ｓｅｒｖｉｃｅ＿ｉｄループの削除に伴い、ループがひとつも存在しなくなる場合には、当該記述子自体を削除する。さらに、ＰＳＩ／ＳＩ中に図２９に示すリンク記述子が配置されている場合、削除対象のＴＳ＿ｉｄ、ｓｅｒｖｉｃｅ＿ｉｄがリンク先として設定されているものについては、リンク記述子の削除を行なう。同様に、ＰＳＩ／ＳＩ中に図３０〜図３４に示すハイパーリンク記述子が配置されている場合、削除対象のＴＳ＿ｉｄ、ｓｅｒｖｉｃｅ＿ｉｄがハイパーリンク先として設定されているものについては、ハイパーリンク記述子の削除を行なう。
【００６１】
なお、全てのＰＳＩ／ＳＩ及びＰＳＩ／ＳＩ中の記述子の編集を行なった場合にはそのＰＳＩ／ＳＩのＣＲＣ誤り検出の再計算を行い、当該ＰＳＩ／ＳＩ中のＣＲＣ＿３２に上書きする。
【００６２】
最後に、他ＴＳ情報削除機能１１２にＴＳを出力する。  
【００６３】
再送信対象外サービス削除機能１０９の処理フロー例を図４〜図７とともに説明する。
【００６４】
Ｓ６０１：伝送路特有情報削除機能１０７からＴＳの入力を受け、Ｓ６０２へ進む。
【００６５】
Ｓ６０２：Ｓ６０１にて入力されたＴＳ中のＰＭＴを読み取り、記憶部１１１に保持されている同一のｓｅｒｖｉｃｅ＿ｉｄを対象としたＰＭＴとの比較を行ない、その記述内容が異なることを検知した場合にはＳ６０３へ、そうでない場合にはＳ６０５へ進む。
【００６６】
Ｓ６０３：Ｓ６０２にて検知されたＰＭＴを記憶部１１１に設定された同一ｓｅｒｖｉｃｅ＿ｉｄのＰＭＴの値に上書きにて記憶し、Ｓ６０４へ進む。
【００６７】
Ｓ６０４：記憶部１１１に保存された同一ＴＳ中の全てのＰＭＴを比較し、全ての削除対象として指定されているｓｅｒｖｉｃｅ＿ｉｄを対象としたＰＭＴのＰＣＲ＿ＰＩＤと、ＥＳループ中の各ｅｌｅｍｅｎｔａｒｙ＿ＰＩＤと、限定受信方式記述子中のＣＡ＿ＰＩＤとをそれぞれ抽出し、他の全ての削除対象で無いｓｅｒｖｉｃｅ＿ｉｄを対象としたＰＭＴにて同様に参照されていないもの（ＰＭＴに記載が無いもの）について、すなわち、削除対象ｓｅｒｖｉｃｅ＿ｉｄのＰＭＴからのみ参照されているＰＩＤについて、フィルタリング対象ＰＩＤリストとしてＰＭＴ中のｓｅｒｖｉｃｅ＿ｉｄ（ｐｒｏｇｒａｍ＿ｎｕｍｂｅｒ）ごとに記憶部１１１に上書きにて記憶し（最新化のため過去に記憶されていたリストは消去し）、Ｓ６０５へ進む。
【００６８】
Ｓ６０５：Ｓ６０１にて入力されたＴＳ中のＰＭＴを読み取り、設定値１１０に設定された削除対象のｓｅｒｖｉｃｅ＿ｉｄを対象としたＰＭＴであることを検知した場合にはＳ６０６へ、そうでない場合はＳ６０７へ進む。
【００６９】
Ｓ６０６：Ｓ６０５にて検知されたＰＭＴを削除し、Ｓ６０７へ進む。
【００７０】
Ｓ６０７：Ｓ６０１にて入力されたＴＳから記憶部１１１に記憶されているフィルタリング対象ＰＩＤリスト中の全てのＰＩＤのＴＳパケットを削除し、Ｓ６０８へ進む。
【００７１】
Ｓ６０８：Ｓ６０１にて入力されたＴＳ中のＰＡＴを読み取り、設定値１１０に設定された削除対象のｓｅｒｖｉｃｅ＿ｉｄを対象としたプログラムループが存在することを検知した場合にはＳ６０９へ、そうでない場合は図５のＳ６１０へ進む。
【００７２】
Ｓ６０９：Ｓ６０８にて検知されたＰＡＴ中の削除対象ｓｅｒｖｉｃｅ＿ｉｄを対象としたプログラムループを削除し、図５のＳ６１０へ進む。
【００７３】
Ｓ６１０：Ｓ６０１にて入力されたＴＳ中のＮＩＴを読み取り、設定値１１０に設定された削除対象のＴＳ＿ｉｄを対象としたＴＳループが存在することを検知した場合にはＳ６１１へ、そうでない場合はＳ６１２へ進む。
【００７４】
Ｓ６１１：Ｓ６１０にて検知されたＮＩＴ中の削除対象ＴＳ＿ｉｄを対象としたＴＳループを削除し、Ｓ６１２へ進む。
【００７５】
Ｓ６１２：Ｓ６０１にて入力されたＴＳ中のＢＩＴを読み取り、設定値１１０に設定された削除対象のｂｒｏａｄｃａｓｔｅｒ＿ｉｄを対象としたブロードキャスタループが存在することを検知した場合にはＳ６１３へ、そうでない場合はＳ６１４へ進む。
【００７６】
Ｓ６１３：Ｓ６１２にて検知されたＢＩＴ中の削除対象ｂｒｏａｄｃａｓｔｅｒ＿ｉｄを対象としたブロードキャスタループを削除し、Ｓ６１４へ進む。
【００７７】
Ｓ６１４：Ｓ６０１にて入力されたＴＳ中のＳＤＴを読み取り、設定値１１０に設定された削除対象のＴＳ＿ｉｄを対象としたＳＤＴであることを検知した場合にはＳ６１５へ、そうでない場合はＳ６１６へ進む。
【００７８】
Ｓ６１５：Ｓ６１４にて検知されたＳＤＴを削除し、Ｓ６１６へ進む。
【００７９】
Ｓ６１６：Ｓ６０１にて入力されたＴＳ中のＳＤＴを読み取り、設定値１１０に設定された削除対象のｓｅｒｖｉｃｅ＿ｉｄを対象としたサービスループが存在することを検知した場合にはＳ６１７へ、そうでない場合はＳ６１８へ進む。
【００８０】
Ｓ６１７：Ｓ６１６にて検知されたＳＤＴ中の削除対象ｓｅｒｖｉｃｅ＿ｉｄを対象としたサービスループを削除し、Ｓ６１８へ進む。
【００８１】
Ｓ６１８：Ｓ６０１にて入力されたＴＳ中のＥＩＴを読み取り、設定値１１０に設定された削除対象のＴＳ＿ｉｄもしくはｓｅｒｖｉｃｅ＿ｉｄを対象としたＥＩＴであることを検知した場合にはＳ６１９へ、そうでない場合は図６のＳ６２０へ進む。
【００８２】
Ｓ６１９：Ｓ６１８にて検知されたＥＩＴを削除し、Ｓ６２０へ進む。
【００８３】
Ｓ６２０：Ｓ６０１にて入力されたＴＳ中の全てのＰＳＩ／ＳＩを読み取り、それぞれの記述子ループに緊急情報記述子が配置されていることを検知した場合にはＳ６２１へ、そうでない場合にはＳ６２４へ進む。
【００８４】
Ｓ６２１：Ｓ６２０にて検知された記述子ループの緊急情報記述子より、削除対象ｓｅｒｖｉｃｅ＿ｉｄを対象としたｓｅｒｖｉｃｅ＿ｉｄループを削除し、Ｓ６２２へ進む。
【００８５】
Ｓ６２２：Ｓ６２１にて処理された緊急情報記述子中にｓｅｒｖｉｃｅ＿ｉｄループがひとつも存在しないことを検知した場合はＳ６２３へ、そうでない場合はＳ６２４へ進む。
【００８６】
Ｓ６２３：Ｓ６２２にて検知された緊急情報記述子を削除し、Ｓ６２４へ進む。
【００８７】
Ｓ６２４：Ｓ６０１にて入力されたＴＳ中の全てのＰＳＩ／ＳＩを読み取り、それぞれの記述子ループにＣＡサービス記述子が配置されていることを検知した場合にはＳ６２５へ、そうでない場合にはＳ６２８へ進む。
【００８８】
Ｓ６２５：Ｓ６２４にて検知された記述子ループのＣＡサービス記述子より、削除対象ｓｅｒｖｉｃｅ＿ｉｄを対象としたｓｅｒｖｉｃｅ＿ｉｄループを削除し、Ｓ６２６へ進む。
【００８９】
Ｓ６２６：Ｓ６２５にて処理されたＣＡサービス記述子中にｓｅｒｖｉｃｅ＿ｉｄループがひとつも存在しないことを検知した場合はＳ６２７へ、そうでない場合はＳ６２８へ進む。
【００９０】
Ｓ６２７：Ｓ６２６にて検知されたＣＡサービス記述子を削除し、Ｓ６２８へ進む。
【００９１】
Ｓ６２８：Ｓ６０１にて入力されたＴＳ中の全てのＰＳＩ／ＳＩを読み取り、それぞれの記述子ループにサービスリスト記述子が配置されていることを検知した場合にはＳ６２９へ、そうでない場合にはＳ６３２へ進む。
【００９２】
Ｓ６２９：Ｓ６２８にて検知された記述子ループのサービスリスト記述子より、削除対象ｓｅｒｖｉｃｅ＿ｉｄを対象としたｓｅｒｖｉｃｅ＿ｉｄループを削除し、Ｓ６３０へ進む。
【００９３】
Ｓ６３０：Ｓ６２９にて処理されたサービスリスト記述子中にｓｅｒｖｉｃｅ＿ｉｄループがひとつも存在しないことを検知した場合はＳ６３１へ、そうでない場合はＳ６３２へ進む。
【００９４】
Ｓ６３１：Ｓ６３０にて検知されたサービスリスト記述子を削除し、Ｓ６３２へ進む。
【００９５】
Ｓ６３２：Ｓ６０１にて入力されたＴＳ中の全てのＰＳＩ／ＳＩを読み取り、それぞれの記述子ループにイベントグループ記述子が配置されていることを検知した場合にはＳ６３３へ、そうでない場合にはＳ６３６へ進む。
【００９６】
Ｓ６３３：Ｓ６３２にて検知された記述子ループのイベントグループ記述子より、削除対象ｓｅｒｖｉｃｅ＿ｉｄもしくはＴＳ＿ｉｄを対象としているｓｅｒｖｉｃｅ＿ｉｄループを削除し、Ｓ６３４へ進む。
【００９７】
Ｓ６３４：Ｓ６３３にて処理されたイベントグループ記述子中にｓｅｒｖｉｃｅ＿ｉｄループがひとつも存在しないことを検知した場合はＳ６３５へ、そうでない場合は図７のＳ６３６へ進む。
【００９８】
Ｓ６３５：Ｓ６３４にて検知されたイベントグループ記述子を削除し、図７のＳ６３６へ進む。
【００９９】
Ｓ６３６：Ｓ６０１にて入力されたＴＳ中の全てのＰＳＩ／ＳＩを読み取り、それぞれの記述子ループに削除対象のＴＳ＿ｉｄもしくはｓｅｒｖｉｃｅ＿ｉｄにそれぞれ等しいｔｒａｎｓｐｏｒｔ＿ｓｔｒｅａｍ＿ｉｄ、ｓｅｒｖｉｃｅ＿ｉｄがリンク先として設定されているリンク記述子が配置されていることを検知した場合にはＳ６３７へ、そうでない場合にはＳ６３８へ進む。
【０１００】
Ｓ６３７：Ｓ６３６にて検知された記述子ループよりリンク記述子を削除し、Ｓ６３８へ進む。
【０１０１】
Ｓ６３８：Ｓ６０１にて入力されたＴＳ中の全てのＰＳＩ／ＳＩを読み取り、それぞれの記述子ループに削除対象のＴＳ＿ｉｄもしくはｓｅｒｖｉｃｅ＿ｉｄにそれぞれ等しいｔｒａｎｓｐｏｒｔ＿ｓｔｒｅａｍ＿ｉｄ、ｓｅｒｖｉｃｅ＿ｉｄがハイパーリンク先として設定されているハイパーリンク記述子が配置されていることを検知した場合にはＳ６３９へ、そうでない場合にはＳ６４０へ進む。
【０１０２】
Ｓ６３９：Ｓ６３８にて検知された記述子ループよりハイパーリンク記述子を削除し、Ｓ６４０へ進む。
【０１０３】
Ｓ６４０：他ＴＳ情報削除機能１１２へＴＳを出力する。
【０１０４】
他ＴＳ情報削除機能１１２では、再送信対象外サービス削除機能１０９から入力されるＴＳ中の他ＴＳを対象としたＳＤＴ及びＥＩＴ（設定値１１３に事前に他ＴＳのテーブルとして設定されたｔａｂｌｅ＿ｉｄの情報）を削除する。また、ＮＩＴ、ＢＩＴ及び自ＴＳを対象としたＳＤＴ及びＥＩＴ（設定値１１３に事前にＳＩ専用ＴＳで出力するテーブルとして設定されたｔａｂｌｅ＿ｉｄのテーブル）をＳＩ専用ＴＳ送出サーバ２００に送出する。そして、ＴＳ送出機能１１４にＴＳを出力する。
【０１０５】
他ＴＳ情報削除機能１１２の処理フロー例を図８とともに説明する。
【０１０６】
Ｓ７０１：再送信対象外サービス削除機能１０９からＴＳの入力を受け、Ｓ７０２へ進む。
【０１０７】
Ｓ７０２：Ｓ７０１にて入力されたＴＳ中の全てのＰＳＩ／ＳＩを読み取り、設定値１１３に他ＴＳのテーブルとして設定されたｔａｂｌｅ＿ｉｄのテーブルが配置されていることを検知した場合にはＳ７０３へ、そうでない場合にはＳ７０４へ進む。
【０１０８】
Ｓ７０３：Ｓ７０２にて検知されたＰＳＩ／ＳＩ情報を削除し、Ｓ７０４へ進む。
【０１０９】
Ｓ７０４：Ｓ７０１にて入力されたＴＳ中の全てのＰＳＩ／ＳＩを読み取り、設定値１１３にＳＩ専用ＴＳで出力するテーブルとして設定されたｔａｂｌｅ＿ｉｄのテーブルが配置されていることを検知した場合にはＳ７０５へ、そうでない場合にはＳ７０６へ進む。
【０１１０】
Ｓ７０５：Ｓ７０４にて検知されたテーブルをＳＩ専用ＴＳ送出サーバ２００へ送出し、Ｓ７０６へ進む。
【０１１１】
Ｓ７０６：ＴＳ送出機能１１４へＴＳを出力する。
【０１１２】
ＴＳ送出機能１１４は、入力されたＴＳをＩＰネットワーク３００へ出力する。
【０１１３】
ＳＩ専用ＴＳ送出サーバ２００は、複数の送出側装置１００の他ＴＳ情報削除機能１１２から受信したＳＩ情報をひとつのＴＳに多重化し、ＩＰネットワーク３００へ出力する。この際に、ＮＩＴ、ＳＤＴ、ＥＩＴについては、設定値２０１に事前に設定された図１１に示すｔａｂｌｅ＿ｉｄ変換規則に基づき、自ネットワーク用及び自ＴＳ用の（ａｃｔｕａｌテーブルの）ｔａｂｌｅ＿ｉｄから他ネットワーク及び他ＴＳ用の（ｏｔｈｅｒテーブルの）ｔａｂｌｅ＿ｉｄに変換を行う場合もある。
【０１１４】
なお、全てのＰＳＩ／ＳＩについて、ｔａｂｌｅ＿ｉｄの変換を行なった場合にはそのＰＳＩ／ＳＩのＣＲＣ誤り検出の再計算を行い、当該ＰＳＩ／ＳＩ中のＣＲＣ＿３２に上書きする。
【０１１５】
次に受信側装置４００の機能ブロック毎の処理フローを説明する。  
【０１１６】
受信機能４０１はＩＰネットワーク３００からＴＳを受信し、ＰＳＩ／ＳＩ処理機能４０２へ出力する。
【０１１７】
ＰＳＩ／ＳＩ処理機能４０２は受信機能４０１から入力されたＴＳに含まれるＰＳＩ／ＳＩ情報より、映像再生に必要な情報及び番組表生成に必要な情報を抽出し、それぞれ再生機能４０３及び番組表表示機能４０４に伝達し、再生機能４０３にＴＳを出力する。なおこの際、各ＴＳに他ＴＳを対象とした情報（ｏｔｈｅｒテーブル）は含まれていないものとして動作し、他ＴＳを対象とした情報の受信待ちを行わず、他ＴＳの情報が必要な場合にはＳＩ専用ＴＳ受信機能４０５にＳＩ専用ＴＳの受信開始通知及び受信終了通知を送信することでＳＩ専用ＴＳを受信し、各ＴＳのＰＳＩ／ＳＩと同様に映像再生に必要な情報及び番組表生成に必要な情報を抽出し、それぞれ再生機能４０３及び番組表表示機能４０４に伝達する。
【０１１８】
ＳＩ専用ＴＳ受信機能４０５は、ＰＳＩ／ＳＩ処理機能４０２よりＳＩ専用ＴＳ受信開始通知を受信した際にＳＩ専用ＴＳ送出サーバ２００よりＳＩ専用ＴＳを受信開始し、ＰＳＩ／ＳＩ処理機能４０２へ出力する。また、ＰＳＩ／ＳＩ処理機能４０２よりＳＩ専用ＴＳ受信終了通知を受信した際にＳＩ専用ＴＳ送出サーバ２００からのＳＩ専用ＴＳの受信を終了し、ＰＳＩ／ＳＩ処理機能４０２への出力も停止する。
【０１１９】
再生機能４０３は、ＰＳＩ／ＳＩ処理機能４０２より受信したＴＳ及び映像再生に必要な情報を用いて映像再生を行い、画面表示する。
【０１２０】
番組表表示機能４０４は、ＰＳＩ／ＳＩ処理機能４０２より受信した番組表生成に必要な情報を用いて番組表を生成し、画面表示する。
【０１２１】
これにより、電波で伝送するデジタル放送を再送信する際に、中継の段階で放送からＩＰへと伝送方式を変更する場合において、伝送すべき情報量を削減し、伝送帯域の有効利用が可能となる。
【０１２２】
次に、ＩＰ同時再送信、または事前蓄積型ＩＰ再送信において、電波で伝送されるデジタル放送を再送信する際に、伝送方式の違いや送信するサービス（チャンネル）の違いにより不要となる情報を削除することで伝送量を削減し、伝送帯域の有効利用を可能とし、ネットワーク運用コストの削減が可能となる本発明の実施例を示す。
【０１２３】
（実施例１）
本発明をＩＰ同時再送信で利用した場合、図９に示すように、放送局設備８０１、デジタル放送波８０２、送出サーバ８０３、マルチキャストストリーム８０４、受信機８０５、ＳＩ専用ＴＳ送出サーバ８０６、ＳＩ専用ＴＳマルチキャストストリーム８０７から構成される。
【０１２４】
放送局設備８０１では放送番組を含んだデジタル放送波８０２を送る機能を有する。送出サーバ８０３は、図１の送出側装置１００を備え、デジタル放送波８０２を受け、デジタル放送波８０２を、マルチキャストストリーム８０４に変換して送出する機能を有する。
【０１２５】
受信機８０５は、図１の受信側装置４００を備え、マルチキャストストリーム８０４を受信し、再生・表示できる機能に加え、ＳＩ専用ＴＳ送出サーバ８０６からＳＩ専用ＴＳマルチキャストストリーム８０７を受信できる機能を有する。
【０１２６】
以下、ＩＰ同時再送信での本実施例におけるシステム動作について記述する。
（１）放送局設備８０１からは放送番組の情報をのせたデジタル放送波８０２を送る。
（２）送出サーバ８０３は、放送波８０２を受信し、図１で説明した送出側装置１００の処理を行い、マルチキャストストリーム８０４へ変換し送出する。この際、ＳＩ専用ＴＳ送出サーバ８０６へＳＩ情報の伝送を行う。
（３）ＳＩ専用ＴＳ送出サーバ８０６は、図１のＳＩ専用ＴＳ送出サーバ２００で述べた処理を行い、複数の送出サーバ８０３からＳＩ情報を受信し、ひとつのＳＩ専用ＴＳへと多重化し、ＳＩ専用ＴＳマルチキャストストリーム８０７へ変換し送出する。
（４）受信機８０５では、送出サーバ８０３からマルチキャストストリーム８０４を、ＳＩ専用ＴＳ送出サーバ８０６からＳＩ専用ＴＳマルチキャストストリーム８０７をそれぞれ受け、図１で説明した受信側装置４００の処理を行い、画面表示を行なう。
【０１２７】
（実施例２）
本発明を事前蓄積型ＩＰ再送信で利用した場合、図１０に示すように、送出サーバ９０１、マルチキャストストリーム９０２、受信機９０３、ＳＩ専用ＴＳ送出サーバ９０４、ＳＩ専用ＴＳマルチキャストストリーム９０５から構成される。
【０１２８】
送出サーバ９０１は図１の送出側装置１００を備え、事前に蓄積したＴＳをマルチキャストストリーム９０２に変換して送出する機能を有する。
【０１２９】
受信機９０３は図１の受信側装置４００を備え、マルチキャストストリーム９０２を受信し、再生・表示できる機能に加え、ＳＩ専用ＴＳ送出サーバ９０４からＳＩ専用ＴＳマルチキャストストリーム９０５を受信できる機能を有する。
【０１３０】
以下、事前蓄積型ＩＰ再送信での本実施例におけるシステム動作について記述する。
（１）送出サーバ９０１は事前に蓄積したＴＳを、図１で説明した送出側装置１００の処理を行い、マルチキャストストリーム９０２へ変換し送出する。この際、ＳＩ専用ＴＳ送出サーバ９０４へＳＩ情報の伝送を行う。
（２）ＳＩ専用ＴＳ送出サーバ９０４は、図１のＳＩ専用ＴＳ送出サーバ２００で述べた処理を行い、複数の送出サーバ９０１からＳＩ情報を受信し、ひとつのＳＩ専用ＴＳへと多重化し、ＳＩ専用ＴＳマルチキャストストリーム９０５へ変換し送出する。
（３）受信機９０３では、送出サーバ９０１からマルチキャストストリーム９０２を、ＳＩ専用ＴＳ送出サーバ９０４からＳＩ専用ＴＳマルチキャストストリーム９０５をそれぞれ受け、図１で説明した受信側装置４００の処理を行い、画面表示を行なう。
【０１３１】
また、本実施形態のＩＰ伝送におけるデジタル放送配信システムにおける各手段の一部もしくは全部の機能をコンピュータのプログラムで構成し、そのプログラムをコンピュータを用いて実行して本発明を実現することができること、本実施形態のＩＰ伝送におけるデジタル放送配信方法における手順をコンピュータのプログラムで構成し、そのプログラムをコンピュータに実行させることができることは言うまでもなく、コンピュータでその機能を実現するためのプログラムを、そのコンピュータが読み取り可能な記録媒体、例えばＦＤ（Ｆｌｏｐｐｙ（登録商標）  Ｄｉｓｋ）や、ＭＯ（Ｍａｇｎｅｔｏ−Ｏｐｔｉｃａｌ  ｄｉｓｋ）、ＲＯＭ（Ｒｅａｄ  Ｏｎｌｙ  Ｍｅｍｏｒｙ）、メモリカード、ＣＤ（Ｃｏｍｐａｃｔ  Ｄｉｓｋ）−ＲＯＭ、ＤＶＤ（Ｄｉｇｉｔａｌ  Ｖｅｒｓａｔｉｌｅ  Ｄｉｓｋ）−ＲＯＭ、ＣＤ−Ｒ、ＣＤ−ＲＷ、ＨＤＤ、リムーバブルディスクなどに記録して、保存したり、配布したりすることが可能である。また、上記のプログラムをインターネットや電子メールなど、ネットワークを通して提供することも可能である。
【符号の説明】
【０１３２】
１００…送出側装置
１０１…番組コンテンツ
１０２…再生機能
１０３…アンテナ
１０４…チューナー
１０５…降雨対応放送削除機能
１０６，１１１…記憶部
１０７…伝送路特有情報削除機能
１０８，１１０，１１３，２０１…設定値
１０９…再生対象外サービス削除機能
１１２…他ＴＳ情報削除機能
１１４…ＴＳ送出機能
２００，８０６，９０４…ＳＩ専用ＴＳ送出サーバ
３００…ＩＰネットワーク
４００…受信側装置
４０１…受信機能
４０２…ＰＳＩ／ＳＩ処理機能
４０３…再生機能
４０４…番組表表示機能
４０５…ＳＩ専用ＴＳ受信機能
８０３，９０１…送出サーバ
８０４，９０２…マルチキャストストリーム
８０５，９０３…受信機
８０７，９０５…ＳＩ専用ＴＳマルチキャストストリーム
【図１】
2010246016.tif 000003
【図２】
2010246016.tif 000004
【図３】
2010246016.tif 000005
【図４】
2010246016.tif 000006
【図５】
2010246016.tif 000007
【図６】
2010246016.tif 000008
【図７】
2010246016.tif 000009
【図８】
2010246016.tif 000010
【図９】
2010246016.tif 000011
【図１０】
2010246016.tif 000012
【図１１】
2010246016.tif 000013
【図１２】
2010246016.tif 000014
【図１３】
2010246016.tif 000015
【図１４】
2010246016.tif 000016
【図１５】
2010246016.tif 000017
【図１６】
2010246016.tif 000018
【図１７】
2010246016.tif 000019
【図１８】
2010246016.tif 000020
【図１９】
2010246016.tif 000021
【図２０】
2010246016.tif 000022
【図２１】
2010246016.tif 000023
【図２２】
2010246016.tif 000024
【図２３】
2010246016.tif 000025
【図２４】
2010246016.tif 000026
【図２５】
2010246016.tif 000027
【図２６】
2010246016.tif 000028
【図２７】
2010246016.tif 000029
【図２８】
2010246016.tif 000030
【図２９】
2010246016.tif 000031
【図３０】
2010246016.tif 000032
【図３１】
2010246016.tif 000033
【図３２】
2010246016.tif 000034
【図３３】
2010246016.tif 000035
【図３４】
2010246016.tif 000036